(57)【要約】【課題】サイドフレームを含むパネルの上方の隙間を、連続する遮閉部材により体裁よく遮閉しうるようにした移動式パネルを提供する。【解決手段】パネル本体５の左右両側面に取り付けたサイドフレーム２の上端部の対向面同士を連結する上部フレーム３の上面に、サイドフレーム２の外側端まで達する長さの左右方向を向く前後１対の遮閉部材３７を、ガイドローラ８を支持する上下方向を向く支持軸７を挟んで対向するようにして設ける。【選択図】図４
2013096184.tif 000002
【特許請求の範囲】
【請求項１】
上部が左右１対の案内部材をもって天井に架設したガイドレールにより案内され、下部が床面に走行自在なキャスタにより支持された移動式パネルにおいて、
パネル本体の左右両側面に取り付けたサイドフレームの上端部の対向面同士を連結する上部フレームの上面に、左右のサイドフレームの外側端まで達する長さの左右方向を向く前後１対の遮蔽部材を、前記案内部材を支持する上下方向を向く支持軸を挟んで対向するようにして設けたことを特徴とする移動式パネル。
【請求項２】
上部フレームにおける支持軸を挟む上面に、左右方向を向く前後１対の起立片を設けるとともに、この両起立片と対向する外方に、上向きの挟持片を有する左右方向を向く前後１対の保持部材を、着脱可能に取り付け、前記起立片と挟持片とにより遮蔽部材を挟持したことを特徴とする請求項１に記載の移動式パネル。
【請求項３】
挟持片の両側端部に、左右のサイドフレームの外側端において遮蔽部材の側端面を覆いうる塞ぎ片を連設したことを特徴とする請求項２に記載の移動式パネル。
【請求項４】
遮蔽部材の少なくとも上部を上下方向に弾性変形可能としたことを特徴とする請求項１ないし３のいずれかに記載の移動式パネル。
【請求項５】
左右１対の支持軸を、上部フレームに設けたことを特徴とする請求項１ないし４のいずれかに記載の移動式パネル。
【請求項６】
支持軸を、左右方向の取付位置を変更可能に設けたことを特徴とする請求項５に記載の移動式パネル。
【発明の詳細な説明】
【技術分野】
【０００１】
本発明は、上部が天井に架設したガイドレールにより案内され、下部が床面に走行自在なキャスタにより支持された、室内空間を仕切る移動式パネルに関する。
【背景技術】
【０００２】
この種の移動式パネルにおいては、その設置や施工性を良好とするために、天井及びガイドレールとパネル上端との間に余裕の隙間を設けるのが一般的である。このような隙間を設けると、光や音が漏れて好ましくないので、隙間を塞ぐ対策が講じられている（例えば、特許文献１及び２参照）。
【先行技術文献】
【特許文献】
【０００３】
【特許文献１】特開２００２−３５７０４５号公報
【特許文献２】特開２００２−３５７０５４号公報
【発明の概要】
【発明が解決しようとする課題】
【０００４】
前記特許文献１に記載されている移動式パネルにおいては、パネルの上端部に取り付けた前後の外装板に、天井方向を向くブラシ等の遮蔽部材を設けているので、ガイドレールと支持軸を取り付けたサイドフレームとの間に形成される隙間を、遮蔽部材により遮蔽しきれず、パネル同士を隣接させた際に、それらの対向部間に形成される大きな隙間から光や音が漏れるという問題がある。また、支持軸が露呈して体裁が悪いという問題もある。
【０００５】
一方、特許文献２に記載の移動式パネルは、前述のような遮蔽部材の外に、スポンジ等よりなる別の遮蔽部材を支持軸に嵌合して、サイドフレームの上方の隙間を遮蔽するとともに、支持軸を覆っているので、前述のような問題の生じる恐れはない。しかし、このようなスポンジ等の遮蔽部材を支持軸に嵌合すると、外装板に取り付けた遮蔽部材との一体感を呈しないので、外観的体裁が悪く、かつ交換作業も面倒となる。
【０００６】
また、前記特許文献１及び２に記載の移動式パネルは、いずれも、ガイドレールにより案内される案内部材を有する支持軸を、パネルの左右のサイドフレームに取り付けているので、仕切り空間の大きさに対応させるべく、一部のパネルの左右幅を大すると、このパネルの左右の支持軸間の間隔が、他のパネルの支持軸間の間隔よりも大きくなってしまう。このようになると、各パネルを前後方向に方向転換して、２本のガイドレールに沿って格納する際に、左右幅の大きなパネルを、基本の２本のガイドレールを共通で使用することができなくなるので、左右幅の大きなパネル用の長さの大きなガイドレールが別途必要となり、施工コストが増大する問題がある。
【０００７】
本発明は、このような問題点に着目してなされたもので、サイドフレームを含むパネルの上方の隙間を、連続する遮蔽部材により体裁よく遮蔽しうるようにするとともに、パネルの幅寸法に対応して、左右の支持軸間の間隔を変更可能とし、各パネル共通のガイドレールを使用して格納しうるようにした移動式パネルを提供することを目的としている。
【課題を解決するための手段】
【０００８】
前記課題を解決するために、本発明の移動式パネルは、
上部が左右１対の案内部材をもって天井に架設したガイドレールにより案内され、下部が床面に走行自在なキャスタにより支持された移動式パネルにおいて、
パネル本体の左右両側面に取り付けたサイドフレームの上端部の対向面同士を連結する上部フレームの上面に、左右のサイドフレームの外側端まで達する長さの左右方向を向く前後１対の遮蔽部材を、前記案内部材を支持する上下方向を向く支持軸を挟んで対向するようにして設けたことを特徴としている。
この特徴によれば、上部フレームとガイドレールとの間に形成される隙間はもとより、左右のサイドフレームとガイドレールとの間に形成される隙間を、左右方向に連続する前後１対の遮蔽部材により体裁よく遮蔽することができる。また同時に、左右の支持軸も前後の遮蔽部材により体裁よく覆われるので、外部に露呈することがない。
【０００９】
本発明の移動式パネルは、
上部フレームにおける支持軸を挟む上面に、左右方向を向く前後１対の起立片を設けるとともに、この両起立片と対向する外方に、上向きの挟持片を有する左右方向を向く前後１対の保持部材を、着脱可能に取り付け、前記起立片と挟持片とにより遮蔽部材を挟持したことを特徴としている。
この特徴によれば、遮蔽部材は、上部フレームの起立片と保持部材の挟持片とにより挟持されて取り付けられているので、遮蔽部材の取り付けや交換作業を容易に行うことができる。
【００１０】
本発明の移動式パネルは、
挟持片の両側端部に、左右のサイドフレームの外側端において遮蔽部材の側端面を覆いうる塞ぎ片を連設したことを特徴としている。
この特徴によれば、遮蔽部材の側端面が外部に露呈するのが防止されるので、体裁がよくなる。また、遮蔽部材が左右方向に位置ずれするのが防止される。
【００１１】
本発明の移動式パネルは、
遮蔽部材の少なくとも上部を上下方向に弾性変形可能としたことを特徴としている。
この特徴によれば、パネル移動時に前後方向にぐらついても、遮蔽部材の上部が上下方向に弾性変形するので、パネル移動時にこれが前後方向にぐらついても、パネルの移動の妨げとなったり、遮蔽部３７ｂを損傷させたりすることがない。
【００１２】
本発明の移動式パネルは、
左右１対の支持軸を、上部フレームに設けたことを特徴としている。
この特徴によれば、移動式パネルの左右幅が、支持軸をサイドフレームに取り付けた他の移動式パネルの左右幅よりも大であっても、上部フレームに取り付けた支持軸間の離間寸法を、他の移動式パネルの支持軸間の離間寸法に合わせることが可能となる。その結果、左右幅の大きな移動式パネルを含む複数の移動式パネルを、前後方向に姿勢を転換して格納する際に、基本の２本のガイドレールを各パネル共通で使用することができ、施工コストを削減することができる。
【００１３】
本発明の移動式パネルは、
支持軸を、左右方向の取付位置を変更可能に設けたことを特徴としている。
この特徴によれば、支持軸の左右位置を、他の移動式パネルの支持軸間の間隔に対応して、容易に変更することができるので、他の移動式パネルの支持軸間の間隔に対応させた複数の上部フレームを用意する必要がない。
【図面の簡単な説明】
【００１４】
【図１】本発明の移動式パネルの正面図である。
【図２】同じく、右側上部の拡大斜視図である。
【図３】同じく、右側上部の拡大分解斜視図である。
【図４】図１のIV−IV線に沿う拡大縦断側面図である。
【図５】隣接する左右の移動式パネルの対向部の中央縦断正面図である。
【発明を実施するための形態】
【００１５】
本発明に係る移動式パネルを実施するための形態を実施例に基づいて以下に説明する。
【実施例】
【００１６】
図１は、本発明の移動式パネルの正面図で、この移動式パネル１は、左右１対のサイドフレーム２、２と、それらの上下の端部の対向面同士を連結する上部フレーム３及び下部フレーム４と、これら上下左右のフレーム２、３、４により囲まれた枠状空間に嵌め込まれたパネル本体としてのガラスパネル５とを備えている。
【００１７】
下部フレーム４の下面の凹部には、床面Ｆの上面を左右方向に走行する左右１対のキャスタ６、６が取り付けられている。また、上部フレーム３には、上下方向を向く左右１対の支持軸７が取り付けられ、両支持軸７の上端部には、案内部材であるガイドローラ８が回転自在に枢着されている。
【００１８】
天井Ｒの下面に取り付けた側面視下向きコ字状断面をなすガイドレール９に、左右のガイドローラ８を転動可能に嵌合することにより、移動式パネル１を、下部のキャスタ６を床面Ｆ上を走行させるようにして、ガイドレール９に沿って左右方向に移動させることができる。
【００１９】
図２〜図５は、サイドフレーム２と上部フレーム３との連結構造と、上部フレーム３への支持軸７の具体的な取付構造を示している。なお、これらの構造は、左右対称であるので、右方のものについてのみ説明する。
【００２０】
前述したサイドフレーム２は、内部に上下両方向に開口する中空孔１０を有する概ね角管状をなし、内側面の前後方向の中央部には、ガラスパネル５の側端部が嵌合される上下方向の開口部１１が形成されている。また、サイドフレーム２の内端には、外向鍔片１２、１２が前後反対向きに一体的に突設されている。
【００２１】
サイドフレーム２の外側面の前後方向の中央部には、外側方と上下両方向に開口するあり溝状の嵌合凹部１３が、上下方向に全長に亘って形成されている。この嵌合凹部１３には、隣接する移動式パネル１のサイドフレーム２同士が当接した際に、その衝撃を緩和するためのゴム、エラストマーまたは軟質合成樹脂等よりなる緩衝部材１４が嵌め込まれている。
【００２２】
上部フレーム３は、内部に左右両方向に開口する中空孔１５を有する概ね角管状をなし、下面の前後方向の中央部には、左右方向を向く下向突部１６が突設され、この下向突部１６に形成された下方に開口する凹部１７には、ガラスパネル５の上端部が、パッキン１８を介して嵌合されている。また、上部フレーム３の上面板３ａの中央部には、前後に対向する起立片１９、１９が突設されている。なお、上部フレーム３の前後寸法は、サイドフレーム２の外向鍔片１２、１２の外端間の寸法とほぼ等しくしてある。
【００２３】
符号２０は、サイドフレーム２と上部フレーム３とを連結するための連結部材で、サイドフレーム２の中空孔１０に上方より嵌合される下向き部材２１と、この下向き部材２１の上端部に溶接により固着された、上部フレーム３の中空孔１５に外側方より嵌合される内向き部材２２とを備えている。
【００２４】
図４及び図５に示すように、内向き部材２２は、側面視下向きコ字状断面をなす基部材２３と、その内部に固着または圧嵌された左右方向を向く厚肉の補強部材２４とからなり、基部材２３の上面には、上下方向を向く左右２個の取付孔２５が形成され、また、この取付孔２４と対向するスペーサ２３には、上下方向を向く左右２個の雌ねじ孔２６が形成されている。さらに、上部フレーム３の上面と基部材２３と補強部材２４とには、前記支持軸７が選択的に嵌合される左右２個の軸孔２７が、上下に連通するようにして穿設されている。
【００２５】
サイドフレーム２の内側面の上部に形成された前後左右に離間する４個の取付孔２８に内側方より挿入したねじ２９を、サイドフレーム２に嵌合された下向き部材２１の前後１対の内向片２１ａに形成した上下２個ずつの雌ねじ孔３０に螺合することにより、下向き部材２１はサイドフレーム２内の上部に固定されている。
【００２６】
内向き部材２２を上部フレーム３の内部に固定するには、まず、下向き部材２１をサイドフレーム２に固定した状態で、内向き部材２２を、上部フレーム３の中空孔１５内に、サイドフレーム２の内側面が上部フレーム３の側端と当接するまで嵌合する。
【００２７】
次いで、左右２個のねじ３１、３１を、上部フレーム３の上面の前後方向の中央部に設けた左右２個の通孔３２と、基部材２３に設けた２個の取付孔２５を介して、補強部材２４の左右２個の雌ねじ孔２６に螺合する。これにより、内向き部材２２は、上部フレーム３の中空孔１５内において上面板３ａの外側部の下面に固定され、かつ同時に、サイドフレーム２と上部フレーム３とが連結される。
【００２８】
サイドフレーム２と上部フレーム３とを連結した後、ガイドローラ８が取り付けられた支持軸７を、上部フレーム３の上面と内向き部材２２とに設けた左右の軸孔２７のいずれか（実施例では外側のもの）に、上方より嵌合し、支持軸７の下端部に形成された雄ねじ部３３における補強部材２４の下方に突出する下端部に、圧縮コイルばね３４とワッシャ３５を介して、ナット３６を螺合する。これにより、上部フレーム３の側端部の前後方向の中央部に、支持軸７が取り付けられる。なお、上部フレーム３の上面板３ａの側端部に、外側方に開口する左右方向の長溝を設けてもよく、このようにすると、支持軸７を内向き部材２２に予め取り付けた状態で、それらを同時に上部フレーム３に取り付けることができる。
【００２９】
支持軸７は、その取付時においては圧縮コイルばね３４のばね力により下限に位置しているが、ガイドローラ８をガイドレール９に嵌合してパネル１を支持すると、支持軸７は、圧縮コイルばね３４を圧縮させてほぼ上限まで移動する（図４参照）。
【００３０】
上部フレーム３の上面には、前後１対の遮蔽部材３７、３７が、次のようにして装着されている。
【００３１】
図２〜図４に示すように、両遮蔽部材３７は、ゴム、エラストマーまたは軟質合成樹脂等よりなる中実状の取付基部３７ａと、その上面に一体成形された、前後幅が上方に向かって漸次狭幅をなす中空状の遮蔽部３７ｂとからなり、全体の左右寸法は、左右のサイドフレーム２、２の外側端間の左右寸法とほぼ等しくされている。前後の遮蔽部材３７、３７の取付基部３７ａの後面と前面には、対向面が開口する位置決め用の凹溝３８、３８が、左右方向に全長に亘って形成されている。
【００３２】
符号３９、３９は、前後の遮蔽部材３７を保持する左右方向を向く保持部材で、前後方向外向きの取付片３９ａと、その内端より起立する挟持片３９ｂとからなり、挟持片３９ｂの両側端には、遮蔽部材３７の取付基部３７ａの両側端を覆いうる塞ぎ片３９ｃが、内向きに折曲されている。取付片３９ａの左右寸法は、遮蔽部材３７の左右寸法より若干小さく、挟持片３９ｂの左右寸法は、遮蔽部材３７の左右寸法とほぼ等しくされている。
【００３３】
左右の遮蔽部材３７を取り付けるには、それらの凹溝３８を、上部フレーム３の上面の起立片１９、１９の外面に突設した左右方向を向く突条４０に嵌合し、遮蔽部材３７を上下方向に位置決めする。なお、突条４０は、遮蔽部材３７の上下位置を変更しうるように、上下２個設けてあり、この実施例では、上部の突条４０を用いている。
【００３４】
次いで、上部フレーム３の上面の前後の端部に、前後の保持部材３９の取付片３９ａを、挟持片３９ｂが遮蔽部材３７の取付基部３７ａの外面に当接するようにして、左右複数のねじ４１を上部フレーム３の雌ねじ孔４２に螺合して取り付ける。これにより、前後の遮蔽部材３７は、その取付基部３７ａが上部フレーム３の起立片１９と保持部材３９の挟持片３９ｂとにより前後から挟持されるようにして、上部フレーム３の前後の上面に、左右方向に沿って取り付けられる。また同時に、取付基部３７ａの左右両端は、挟持片３９ｂの左右両側端の塞ぎ片３９ｃにより覆われる。
【００３５】
図４に示すように、ガイドローラ８をガイドレール９に嵌合し、移動式パネル１が、床面Ｆ上を走行しうるように施工されたとき、前後の遮蔽部材３７の遮蔽部３７ｂの上端が、ガイドローラ９の前後の下端面と近接または接触するようになっている。なお、遮蔽部３７ｂの摩耗を防止するために、パネル移動時はガイドレール９に接触しないようにするのがよい。
【００３６】
このように、上部フレーム３の上面に、左右のサイドフレーム２の側端間の左右寸法とほぼ同じ長さの前後１対の遮蔽部材３７を取り付け、その遮蔽部３７ｂの上端を、ガイドレール９の下端面に近接または接触させることにより、上部フレーム３とガイドレール９との間に形成される隙間はもとより、左右のサイドフレーム２とガイドレール９との間に形成される隙間も、左右方向に連続する前後１対の遮蔽部材３７により体裁よく遮蔽することができる。この際、左右の支持軸７も前後の遮蔽部材３７により体裁よく覆われるので、外部に露呈することがない。
【００３７】
また、図５に示すように、隣接する移動式パネル１のサイドフレーム２同士が当接した際でも、左右の遮蔽部材３７の対向部により、互いのサイドフレーム２間の上方に形成される隙間をほぼ遮蔽することができる。
【００３８】
遮蔽部材３７は、上部フレーム３の起立片１９と保持部材３９の挟持片３９ｂとにより挟持されて取り付けられているので、遮蔽部材３７の取り付けや交換作業を容易に行うことができる。
【００３９】
さらに、遮蔽部３７ｂを中空として上下方向に弾性変形しやすくしてあるので、パネル移動時にこれが前後方向にぐらついても、パネルの移動の妨げとなったり、遮蔽部３７ｂを損傷させたりすることがない。
【００４０】
左右の支持軸７を、上部フレーム３の両側部に取り付けたことにより、当該移動式パネル１の左右幅が、支持軸７をサイドフレーム２に取り付けた他の移動式パネルの左右幅よりも大であっても、上部フレーム３に取り付けた支持軸７間の離間寸法を、他の移動式パネルの支持軸間の離間寸法に合わせることが可能となる。その結果、左右幅の大きな移動式パネルを含む複数の移動式パネルを、前後方向に姿勢を転換して格納する際に、基本の２本のガイドレールを各パネル共通で使用することができ、左右幅の大きな移動式パネル用の長いガイドレールを別途取り付ける必要がないので、施工コストを削減することができる。
【００４１】
上部フレーム３の上面と内向き部材２２に、左右２個の軸孔２７を設け、これらの軸孔２７に、支持軸７を選択的に嵌合して取り付けることにより、左右の支持軸７の左右位置を、他の移動式パネルの支持軸間の間隔に対応して、２位置に変更することができる。なお、軸孔２７は、２個以上設けてもよい。
【００４２】
以上、本発明の実施例を図面により説明してきたが、具体的な構成はこれら実施例に限られるものではなく、本発明の要旨を逸脱しない範囲における変更や追加があっても本発明に含まれる。
【００４３】
前記実施例では、遮蔽部材３７を上部フレーム３に取り付けるのに、保持部材３９を使用しているが、ねじ等を用いて上部フレーム３の上面に直接取り付けてもよい。
【００４４】
また、前記実施例では、支持軸７を、サイドフレーム２と上部フレーム３とを連結する連結部材２０を利用して上部フレーム３に取り付けているが、上部フレーム３に直接取り付けることもできる。
【符号の説明】
【００４５】
１                移動式パネル
２                サイドフレーム
３                上部フレーム
４                下部フレーム
５                ガラスパネル（パネル本体）
６                キャスタ
７                支持軸
８                ガイドローラ（案内部材）
９                ガイドレール
１０              中空孔
１１              開口部
１２              外向鍔片
１３              嵌合凹部
１４              緩衝部材
１５              中空孔
１６              下向突部
１７              凹部
１８              パッキン
１９              起立片
２０              連結部材
２１              下向き部材
２１ａ            内向片
２２              内向き部材
２３              基部材
２４              補強部材
２５              取付孔
２６              雌ねじ孔
２７              軸孔
２８              取付孔
２９              ねじ
３０              雌ねじ孔
３１              ねじ
３２              通孔
３３              雄ねじ部
３４              圧縮コイルバネ
３５              ワッシャ
３６              ナット
３７              遮蔽部材
３７ａ            取付基部
３７ｂ            遮蔽部
３８              凹溝
３９              保持部材
３９ａ            取付片
３９ｂ            挟持片
３９ｃ            塞ぎ片
４０              突条
４１              ねじ
４２              雌ねじ孔
Ｆ                床面
Ｒ                天井
【図１】
2013096184.tif 000003
【図２】
2013096184.tif 000004
【図３】
2013096184.tif 000005
【図４】
2013096184.tif 000006
【図５】
2013096184.tif 000007